(57)【要約】【課題】開口面を有するカートリッジに前記開口面に対して端面が配置されるように収容された各々薄型光情報記録媒体を載置する複数のトレイを位置決めする、安価で信頼性の高いトレイ位置決め機構を提供する。【解決手段】カートリッジの開口面に接合する平面部又は直線部を有するトレイ押し部材を備える。【選択図】図２
2008016140.tif 000002
【特許請求の範囲】
【請求項１】
開口面を有するカートリッジに前記開口面に対して端面が配置されるように収容された、各々薄型光情報記録媒体を載置する複数のトレイを位置決めするトレイ位置決め機構であって、
前記カートリッジの開口面に接合する平面部又は直線部を有するトレイ押し部材を備えることを特徴とするトレイ位置決め機構。
【請求項２】
前記トレイ押し部材の平面部又は直線部は、前記カートリッジの開口面から前記トレイの端面を押すことを特徴とするトレイ位置決め機構。
【請求項３】
前記トレイ押し部材の平面部又は直線部は、柔軟な材料で形成されていることを特徴とする請求項２記載のトレイ位置決め機構。
【請求項４】
前記トレイ押し部材は、回動軸と突起を有し、前記突起が前記カートリッジの底面によって押下されることによって前記ばね力に逆らって回動し、前記カートリッジの開口面に接合することを特徴とする請求項１乃至３のいずれか１項に記載のトレイ位置決め機構。
【請求項５】
前記カートリッジを昇降させるカートリッジ昇降手段を備えることを特徴とする請求項４に記載のトレイ位置決め機構。
【請求項６】
前記カートリッジ昇降手段は、前記カートリッジを下降させることによって前記カートリッジの底面で前記突起を押下することを特徴とする請求項５記載のトレイ位置決め機構。
【請求項７】
前記カートリッジ昇降手段は、前記カートリッジから前記トレイを出し入れするのに前記トレイ押し部材が邪魔にならない位置まで前記カートリッジを上昇させることを特徴とする請求項５又は６記載のトレイ位置決め機構。
【発明の詳細な説明】
【技術分野】
【０００１】
本発明は、開口面を有するカートリッジに前記開口面に対して端面が配置されるように収容された、各々薄型光情報記録媒体を載置する複数のトレイを位置決めするトレイ位置決め機構に関する。
【背景技術】
【０００２】
近年、コンピュータ用情報のみならず、音声や静止画像、動画像などの情報を保存するための記録媒体として光情報記録媒体が実用化されている。光情報記録媒体は更なる高密度化や高速転送化に向け開発が進められているが、同時に記録再生を行うドライブ装置の将来的な形としての薄型化や小型化、あるいは媒体収納時の軽量小型化等を見据えると、光情報記録媒体自体の厚みはより薄いほうが望ましく、その実現を狙って超薄型光情報記録媒体の開発が進められている。その薄さを活かし、単位体積当たりの記憶容量を増すため、このような超薄型光情報記録媒体をトレイに載せ複数枚積層してカートリッジ内部に収納し、記録再生時に任意の媒体を選択的に取り出して使用する方式が考えられている。
【特許文献１】特開２００５−１７４５１５号公報
【発明の開示】
【発明が解決しようとする課題】
【０００３】
しかしながら、カートリッジ内部の積層されたトレイは、カートリッジを情報記録再生装置に挿入する際のショック、振動、超薄型光情報記録媒体間のエアギャップによる浮力等などが原因で位置ずれを起こす場合がある。このような位置ずれが生じると、カートリッジからトレイを取り出す際に所望のトレイを取り出せなかったり、取り出し機構やトレイが破損するおそれがあるという問題がある。
【０００４】
このようなカートリッジ内のトレイの位置ずれの問題を解決するために、トレイの位置をセンサによって検知し、位置ずれを機械的に修正する方法が考えられるが、このような方法を実現するには、複雑なメカニズム、センサ、回路が必要になってしまい、信頼性を確保するのが困難になり、コストも上昇してしまう。
【０００５】
上述したことを鑑み、本発明は、開口面を有するカートリッジに前記開口面に対して端面が配置されるように収容された各々薄型光情報記録媒体を載置する複数のトレイを位置決めする、安価で信頼性の高いトレイ位置決め機構を提供することを目的とする。
【課題を解決するための手段】
【０００６】
本発明によるトレイ位置決め機構は、前記カートリッジの開口面に接合する平面部又は直線部を有するトレイ押し部材を備えることを特徴とする。
【０００７】
好適には、前記トレイ押し部材の平面部又は直線部は、前記カートリッジの開口面を経て前記トレイの端面を押すようにする。
好適には、前記トレイ押し部材の平面部又は直線部は、柔軟な材料で形成されている。
【０００８】
好適には、前記トレイ押し部材は、回動軸と突起を有し、前記突起が前記カートリッジの底面によって押下されることによって前記ばね力に逆らって回動し、前記カートリッジの開口面に接合する。
【０００９】
好適には、前記カートリッジを昇降させるカートリッジ昇降手段を備える。
好適には、前記カートリッジ昇降手段は、前記カートリッジを下降させることによって前記カートリッジの底面で前記突起を押下する。
【００１０】
好適には、前記カートリッジ昇降手段は、前記カートリッジから前記トレイを出し入れするのに前記トレイ押し部材が邪魔にならない位置まで前記カートリッジを上昇させる。
【発明の効果】
【００１１】
本発明によれば、単純な構造で信頼性の高いトレイ位置決め機構が実現される。
【発明を実施するための最良の形態】
【００１２】
以下に本発明の実施の形態について図面を参照して詳細に説明する。
図１は、本発明のトレイ位置決め機構を用いるカートリッジを示す斜視図である。カートリッジ１の内部には、超薄型光情報記録媒体３を載置したトレイ２が多数積層された状態で収められている。なお、トレイ２は、図１に示すように柔軟性のあるフタがついている場合もあり、情報記録媒体３を挟んだ収納状態にすることで、カートリッジ１からトレイ２を引き出す場合、情報記録媒体３がすぐ上のトレイ２と直接擦れて傷つけられたり、情報記録媒体３が位置ずれを起こしたりすることを回避することができる。カートリッジ１は開口面を有し、トレイ２及び情報記録媒体３はこの開口面から出し入れされる。カートリッジ１は、この開口面の方向において情報記録再生装置に挿入される。情報記録再生装置は、カートリッジ１が挿入された状態で、カートリッジ１から所望の情報記録媒体３が載置されたトレイ２をカートリッジ１の開口面から取り出し、該情報記録媒体３に対して記録再生を行う。
【００１３】
図２は、本発明のトレイ位置決め機構を示す図であり、（ａ）は斜視図、（ｂ）は側面図である。トレイ押し部材４は、情報記録再生装置本体などに固定された回動軸５を軸に回動することができる。ただし、動けるのはストッパ６までの範囲となる。トレイ押し部材４は、ばね７によって引っ張られており、外力がない状態では、ストッパ６の位置において保持される。しかしこの図に示す状態では、突起８がカートリッジ１によって押下されているため、トレイ押し部材４はカートリッジ１の開口面に接合し、カートリッジ１に収容されたトレイ２の端面を押し、トレイ２の位置を揃える。トレイ押し部材４のカートリッジ１の開口面に接合してトレイ２の端面を押す部分は、平面状又は直線状とする。トレイ押し部材４の形状は、この図に示す例のような板状のほかに、棒状等であってもよい。さらに、トレイ押し部材４のトレイ２に当たる部分は、スポンジ等の柔軟な材料で形成することが望ましい。このようにすれば、トレイ２の破損を防ぐことができ、トレイ押し部材４が経年変化で反ったとしても、すべてのトレイ２を押し切ることができる。また、トレイ押し部材４のばね７が取り付けられる位置は、軸５に近いほうが望ましい。このようにすれば、トレイ押し部材４に働いているテンションを小さくできるため、トレイ押し部材４の経年変化による反りを軽減することができる。このようなトレイ位置決め機構は、通常、情報記録再生装置に組み込まれる。
【００１４】
図３は、情報記録再生装置における本発明のトレイ位置決め機構の動作を説明する図である。
【００１５】
カートリッジ１が情報記録再生装置に挿入されていない図３（ａ）の状態では、トレイ押し部材４はばね７によってストッパ６の位置まで引っ張られている。
【００１６】
カートリッジ１は、先ず、図２（ｂ）に示すような、直下に突起８がある位置まで挿入される。
【００１７】
カートリッジ１が挿入されると、カートリッジ昇降手段９は、カートリッジ１を降下させる。すると、図２ｃに示すように、カートリッジ１の底面は突起８を押し下げ、トレイ押し部材４は回動軸５を軸に回動し、トレイ押し部材４の平面状又は直線状部分はカートリッジ１の開口面に接合してカートリッジ１に収納されたトレイ２の端面を押し、トレイ２は位置合わせされる。この状態ではカートリッジ１内部のトレイ２はトレイ押し部材４によって位置が固定されるため、振動などの外力が加わっても動くことが出来ないためトレイの位置ずれが生じることはない。
【００１８】
次に、前記カートリッジ昇降手段９は、カートリッジ１を記録再生を行うための動作位置に移動するために上昇させる。カートリッジ１が上昇することで、カートリッジ１の底面が突起８を押す力がなくなる。すると、ばね７の縮む力によってトレイ押し部材４は矢印の方向に回動し、ストッパ６の位置まで動いて保持される。
【００１９】
カートリッジ昇降手段９がカートリッジ１をさらに上昇させ、トレイ押し部材４の位置よりも上方の動作位置まで動かすと、カートリッジ１の開口部を遮る物体が無くなる。この状態において、トレイ出し入れ手段１０は、情報記録媒体３を収納したトレイ２をカートリッジ１に対して出し入れすることが出来るようになる。
【００２０】
トレイ押し部材４がカートリッジ１内に積層されたトレイ２の端面から離れることで、位置の強制が無くなったトレイ２は、カートリッジ１に対する記録再生のための出し入れや、振動や、トレイ間のエアギャップの浮力等が原因で、カートリッジ１の開口部から引き出される方向に動いてしまうことがある。このような場合、図３（ｃ）の位置まで再びカートリッジ１を下降させれば、カートリッジ１の底面が突起８を押下し、それと連動して、トレイ押し部材５が回動してカートリッジ１の開口面に接合し、飛び出して不揃いとなったトレイ２の端面を押し揃え、位置ずれを解消することができる。
【００２１】
以上説明したように、本発明のトレイ位置決め機構によれば、カートリッジ内部のトレイが位置ずれを生じていても、カートリッジを情報記録再生装置に挿入する際にトレイ位置決め機構が位置ずれを解消し、情報記録再生装置において記録再生するためにトレイ出し入れ手段がカートリッジに対してトレイを出し入れする際には位置決め部材が邪魔にならず、それ以外のときには、カートリッジの開口面から内部のトレイにトレイ押し部材による規制の力を作用させることが出来るため、位置ずれを生じさせる力が働いてもトレイは位置ずれを起こさない。
【００２２】
本発明によるトレイ位置決め機構は、非常に簡易でシンプルな構成であるため、機構の信頼性も高く、安価で小型化することも出来る。
【図面の簡単な説明】
【００２３】
【図１】本発明のトレイ位置決め機構を用いるカートリッジ及びトレイを示す斜視図である。
【図２】本発明のトレイ位置決め機構を示す斜視図である。
【図３】（ａ）乃至（ｅ）は本発明のトレイ位置決め機構の動作を説明する断面図である。
【符号の説明】
【００２４】
１  カートリッジ
２  トレイ
３  超薄型情報記録媒体
４  トレイ押し部材
５  回動軸
６  ストッパ
７  ばね
８  突起
９  カートリッジ昇降手段
１０  トレイ出し入れ手段
【図１】
2008016140.tif 000003
【図２】
2008016140.tif 000004
【図３】
2008016140.tif 000005